(57)【要約】【課題】ネットワーク制御装置から設定されたキャリア状態と、送受信に使用するキャリア状態との不整合を回避できる無線制御装置を提供すること。【解決手段】ネットワーク制御装置２００からキャリア状態の通知を受け取るネットワーク制御装置間通信制御部１１１、ネットワーク制御装置２００から通知されたキャリア状態を保持するキャリア状態保持部１１２、キャリア状態に応じて無線通信端末との送受信を制御する無線送受信制御部１２０、キャリア状態保持部１１２に保持されているキャリア状態と無線送受信制御部１２０で使用のキャリア状態を所定の比較周期毎に比較するキャリア状態比較部１１４、比較周期を制御する周期制御部１１５、および比較の結果、両キャリア状態が異なれば、無線送受信制御部１２０で使用のキャリア状態をキャリア状態保持部１１２に保持されているキャリア状態と一致させるキャリア状態整合処理部１１６を備える。【選択図】　　図１
2004134865.tif 000002
【特許請求の範囲】
【請求項１】
予め設定されたキャリア状態と送受信で使用するキャリア状態との不整合を回避する無線制御装置であって、
当該無線制御装置にキャリア状態を設定するネットワーク制御装置から通知されたキャリア状態を保持するキャリア状態保持手段と、
前記ネットワーク制御装置から通知されたキャリア状態で通信端末と送受信を行う送受信手段と、
前記キャリア状態保持手段に保持されているキャリア状態と、前記送受信手段が行う送受信で使用するキャリア状態とを所定周期毎に比較するキャリア状態比較手段と、
前記キャリア状態比較手段による比較の結果、両キャリア状態が異なっていれば、前記送受信手段が行う送受信で使用するキャリア状態を前記キャリア状態保持手段に保持されているキャリア状態と一致させるキャリア状態整合処理手段と、
を備えたことを特徴とする無線制御装置。
【請求項２】
予め設定されたキャリア状態と受信で使用するキャリア状態との不整合を回避する無線制御装置であって、
送信制御部および受信制御部を備え、
前記送信制御部は、
当該送信制御部にキャリア状態を設定するネットワーク制御装置から通知されたキャリア状態を保持する送信側キャリア状態保持手段と、
前記ネットワーク制御装置から通知されたキャリア状態で通信端末への送信を行う送信手段と、
前記送信側キャリア状態保持手段に保持されているキャリア状態を第１の所定周期毎に前記受信制御部へ通知するキャリア状態通知手段と、を備え、
前記受信制御部は、
前記送信制御部から通知されたキャリア情報を保持する受信側キャリア状態保持手段と、
前記送信制御部から通知されたキャリア状態で通信端末からの受信を行う受信手段と、
前記受信側キャリア状態保持手段に保持されているキャリア状態と、前記受信手段が行う受信で使用するキャリア状態とを第２の所定周期毎に比較する受信側キャリア状態比較手段と、
前記受信側キャリア状態比較手段による比較の結果、両キャリア状態が異なっていれば、前記受信手段が行う受信で使用するキャリア状態を前記受信側キャリア状態保持手段に保持されているキャリア状態と一致させる受信側キャリア状態整合処理手段と、を備えたことを特徴とする無線制御装置。
【請求項３】
予め設定されたキャリア状態と送信で使用するキャリア状態との不整合を回避する無線制御装置であって、
送信制御部および受信制御部を備え、
前記受信制御部は、
当該受信制御部にキャリア状態を設定するネットワーク制御装置から通知されたキャリア状態を保持する受信側キャリア状態保持手段と、
前記ネットワーク制御装置から通知されたキャリア状態で通信端末からの受信を行う受信手段と、
前記受信側キャリア状態保持手段に保持されているキャリア状態を第１の所定周期毎に前記送信制御部へ通知するキャリア状態通知手段と、を備え、
前記送信制御部は、
前記受信制御部から通知されたキャリア情報を保持する送信側キャリア状態保持手段と、
前記受信制御部から通知されたキャリア状態で通信端末への送信を行う送信手段と、
前記送信側キャリア状態保持手段に保持されているキャリア状態と、前記送信手段が行う送信で使用するキャリア状態とを第２の所定周期毎に比較する送信側キャリア状態比較手段と、
前記送信側キャリア状態比較手段による比較の結果、両キャリア状態が異なっていれば、前記送信手段が行う送信で使用するキャリア状態を前記送信側キャリア状態保持手段に保持されているキャリア状態と一致させる送信側キャリア状態整合処理手段と、を備えたことを特徴とする無線制御装置。
【請求項４】
前記送信制御部は、
前記送信側キャリア状態保持手段に保持されているキャリア状態と、前記送信手段が行う送信で使用するキャリア状態とを第３の所定周期毎に比較する送信側キャリア状態比較手段と、
前記送信側キャリア状態比較手段による比較の結果、両キャリア状態が異なっていれば、前記送信手段が行う送信で使用するキャリア状態を前記送信側キャリア状態保持手段に保持されているキャリア状態と一致させる送信側キャリア状態整合処理手段と、を備えたことを特徴とする請求項２記載の無線制御装置。
【請求項５】
前記受信制御部は、
前記受信側キャリア状態保持手段に保持されているキャリア状態と、前記受信手段が行う受信で使用するキャリア状態とを第３の所定周期毎に比較する受信側キャリア状態比較手段と、
前記受信側キャリア状態比較手段による比較の結果、両キャリア状態が異なっていれば、前記受信手段が行う受信で使用するキャリア状態を前記受信側キャリア状態保持手段に保持されているキャリア状態と一致させる受信側キャリア状態整合処理手段と、を備えたことを特徴とする請求項３記載の無線制御装置。
【請求項６】
前記第１の所定周期、前記第２の所定周期または前記第３の所定周期を設定する周期設定手段を備えたことを特徴とする請求項１、２、３、４または５記載の無線制御装置。
【請求項７】
予め設定されたキャリア状態と送受信で使用するキャリア状態との不整合を回避する無線制御装置を用いた無線制御方法であって、
前記無線制御装置にキャリア状態を設定するネットワーク制御装置から通知されたキャリア状態を保持するキャリア状態保持ステップと、
前記ネットワーク制御装置から通知されたキャリア状態で通信端末と送受信を行う送受信ステップと、
前記キャリア状態保持ステップで保持されたキャリア状態と、前記送受信ステップが行う送受信で使用するキャリア状態とを所定周期毎に比較するキャリア状態比較ステップと、
前記キャリア状態比較ステップでの比較の結果、両キャリア状態が異なっていれば、前記送受信ステップが行う送受信で使用するキャリア状態を前記キャリア状態保持ステップで保持されたキャリア状態と一致させるキャリア状態整合処理ステップと、
を有することを特徴とする無線制御方法。
【請求項８】
予め設定されたキャリア状態と受信で使用するキャリア状態との不整合を回避する、送信制御部および受信制御部を備えた無線制御装置を用いた無線制御方法であって、
前記送信制御部にキャリア状態を設定するネットワーク制御装置から通知されたキャリア状態を保持する送信側キャリア状態保持ステップと、
前記ネットワーク制御装置から通知されたキャリア状態で通信端末への送信を行う送信ステップと、
前記送信側キャリア状態保持ステップで保持されたキャリア状態を第１の所定周期毎に前記受信制御部へ通知するキャリア状態通知ステップと、
前記送信制御部から通知されたキャリア情報を保持する受信側キャリア状態保持ステップと、
前記送信制御部から通知されたキャリア状態で通信端末からの受信を行う受信ステップと、
前記受信側キャリア状態保持ステップで保持されたキャリア状態と、前記受信ステップが行う受信で使用するキャリア状態とを第２の所定周期毎に比較する受信側キャリア状態比較ステップと、
前記受信側キャリア状態比較ステップでの比較の結果、両キャリア状態が異なっていれば、前記受信ステップが行う受信で使用するキャリア状態を前記受信側キャリア状態保持ステップで保持されたキャリア状態と一致させる受信側キャリア状態整合処理ステップと、
を有することを特徴とする無線制御方法。
【請求項９】
予め設定されたキャリア状態と送信で使用するキャリア状態との不整合を回避する、送信制御部および受信制御部を備えた無線制御装置を用いた無線制御方法であって、
前記受信制御部にキャリア状態を設定するネットワーク制御装置から通知されたキャリア状態を保持する受信側キャリア状態保持ステップと、
前記ネットワーク制御装置から通知されたキャリア状態で通信端末からの受信を行う受信ステップと、
前記受信側キャリア状態保持ステップで保持されたキャリア状態を第１の所定周期毎に前記送信制御部へ通知するキャリア状態通知ステップと、
前記受信制御部から通知されたキャリア情報を保持する送信側キャリア状態保持ステップと、
前記受信制御部から通知されたキャリア状態で通信端末への送信を行う送信ステップと、
前記送信側キャリア状態保持ステップで保持されたキャリア状態と、前記送信ステップが行う送信で使用するキャリア状態とを第２の所定周期毎に比較する送信側キャリア状態比較ステップと、
前記送信側キャリア状態比較ステップでの比較の結果、両キャリア状態が異なっていれば、前記送信ステップが行う送信で使用するキャリア状態を前記送信側キャリア状態保持ステップで保持されたキャリア状態と一致させる送信側キャリア状態整合処理ステップと、
を有することを特徴とする無線制御方法。
【請求項１０】
請求項７、８または９に記載の無線制御方法をコンピュータに実行させるための無線制御プログラム。
【発明の詳細な説明】
【０００１】
【発明の属する技術分野】
本発明は、予め設定されたキャリア状態と実際に送受信で使用するキャリア状態との不整合を回避できる無線制御装置、無線制御方法および無線制御プログラムに関する。
【０００２】
【従来の技術】
図８は、従来の無線基地局装置およびネットワーク制御装置から構成された通信制御システムを示すブロック図である。同図に示すように、従来の無線基地局装置８００は、内部通信制御部８１１、キャリア状態保持部８１２およびネットワーク制御装置間通信制御部８１３を有する基地局監視制御部８１０と、内部通信制御部８２１および送受信部８２２を有する無線送受信制御部８２０とを備えている。
【０００３】
当該通信制御システムでは、ネットワーク制御装置２００によって無線基地局装置８００のキャリア状態が設定される。その際、ネットワーク制御装置２００は、無線基地局装置８００のネットワーク制御装置間通信制御部８１３と通信を行う。無線基地局装置８００は、ネットワーク制御装置２００から通知されたキャリア状態を、内部通信制御部８１１を介して、キャリア状態保持部８１２に設定し、ネットワーク制御装置２００に対して応答を返す。その後、内部通信制御部８１１，８２１を介して、送受信部８２２にキャリア状態を通知する。送受信部８２２は、通知されたキャリア状態に従って無線通信端末との送受信を行う。
【０００４】
【発明が解決しようとする課題】
しかしながら、基地局監視制御部８１０と無線送受信制御部８２０との間でキャリア状態の通知に失敗した場合、無線基地局装置８００とネットワーク制御装置２００との間および無線基地局装置８００内でキャリア状態の不整合が発生してしまうという問題があった。キャリア状態の通知に失敗する要因としては、例えば、無線基地局装置８００内のバス上でのノイズの発生や、無線送受信制御が冗長構成を取っていたときにその切り替えタイミングで通知電文を受信したことによる電文抜け、無線送受信制御ソフトウェアの不具合等が考えられる。
【０００５】
本発明は、上記従来の問題に鑑みてなされたものであって、予め設定されたキャリア状態と実際に送受信で使用するキャリア状態との不整合を回避できる無線制御装置、無線制御方法および無線制御プログラムを提供することを目的としている。
【０００６】
【課題を解決するための手段】
上記目的を達成するために、本発明に係る無線制御装置は、予め設定されたキャリア状態と送受信で使用するキャリア状態との不整合を回避する無線制御装置であって、当該無線制御装置にキャリア状態を設定するネットワーク制御装置から通知されたキャリア状態を保持するキャリア状態保持部と、前記ネットワーク制御装置から通知されたキャリア状態で通信端末と送受信を行う送受信部と、前記キャリア状態保持部に保持されているキャリア状態と、前記送受信部が行う送受信で使用するキャリア状態とを所定周期毎に比較するキャリア状態比較部と、前記キャリア状態比較部による比較の結果、両キャリア状態が異なっていれば、前記送受信部が行う送受信で使用するキャリア状態を前記キャリア状態保持部に保持されているキャリア状態と一致させるキャリア状態整合処理部と、を備えている。
【０００７】
したがって、予め設定されたキャリア状態と実際に送受信で使用するキャリア状態との不整合を回避できる。結果として、ネットワーク制御装置と無線制御装置との間および無線制御装置内のキャリア状態の不整合をなくすことができる。
【０００８】
また、本発明に係る無線制御装置は、予め設定されたキャリア状態と受信で使用するキャリア状態との不整合を回避する無線制御装置であって、送信制御部および受信制御部を備え、前記送信制御部は、当該送信制御部にキャリア状態を設定するネットワーク制御装置から通知されたキャリア状態を保持する送信側キャリア状態保持部と、前記ネットワーク制御装置から通知されたキャリア状態で通信端末への送信を行う送信部と、前記送信側キャリア状態保持部に保持されているキャリア状態を第１の所定周期毎に前記受信制御部へ通知するキャリア状態通知部と、を備え、前記受信制御部は、前記送信制御部から通知されたキャリア情報を保持する受信側キャリア状態保持部と、前記送信制御部から通知されたキャリア状態で通信端末からの受信を行う受信部と、前記受信側キャリア状態保持部に保持されているキャリア状態と、前記受信部が行う受信で使用するキャリア状態とを第２の所定周期毎に比較する受信側キャリア状態比較部と、前記受信側キャリア状態比較部による比較の結果、両キャリア状態が異なっていれば、前記受信部が行う受信で使用するキャリア状態を前記受信側キャリア状態保持部に保持されているキャリア状態と一致させる受信側キャリア状態整合処理部と、を備えている。
【０００９】
したがって、予め設定されたキャリア状態と実際に受信で使用するキャリア状態との不整合を回避できる。結果として、ネットワーク制御装置と無線制御装置との間および無線制御装置内のキャリア状態の不整合をなくすことができる。
【００１０】
また、本発明に係る無線制御装置は、予め設定されたキャリア状態と送信で使用するキャリア状態との不整合を回避する無線制御装置であって、送信制御部および受信制御部を備え、前記受信制御部は、当該受信制御部にキャリア状態を設定するネットワーク制御装置から通知されたキャリア状態を保持する受信側キャリア状態保持部と、前記ネットワーク制御装置から通知されたキャリア状態で通信端末からの受信を行う受信部と、前記受信側キャリア状態保持部に保持されているキャリア状態を第１の所定周期毎に前記送信制御部へ通知するキャリア状態通知部と、を備え、前記送信制御部は、前記受信制御部から通知されたキャリア情報を保持する送信側キャリア状態保持部と、前記受信制御部から通知されたキャリア状態で通信端末への送信を行う送信部と、前記送信側キャリア状態保持部に保持されているキャリア状態と、前記送信部が行う送信で使用するキャリア状態とを第２の所定周期毎に比較する送信側キャリア状態比較部と、前記送信側キャリア状態比較部による比較の結果、両キャリア状態が異なっていれば、前記送信部が行う送信で使用するキャリア状態を前記送信側キャリア状態保持部に保持されているキャリア状態と一致させる送信側キャリア状態整合処理部と、を備えている。
【００１１】
したがって、予め設定されたキャリア状態と実際に送信で使用するキャリア状態との不整合を回避できる。結果として、ネットワーク制御装置と無線制御装置との間および無線制御装置内のキャリア状態の不整合をなくすことができる。
【００１２】
また、本発明に係る無線制御装置は、前記送信制御部は、前記送信側キャリア状態保持部に保持されているキャリア状態と、前記送信部が行う送信で使用するキャリア状態とを第３の所定周期毎に比較する送信側キャリア状態比較部と、前記送信側キャリア状態比較部による比較の結果、両キャリア状態が異なっていれば、前記送信部が行う送信で使用するキャリア状態を前記送信側キャリア状態保持部に保持されているキャリア状態と一致させる送信側キャリア状態整合処理部と、を備えている。したがって、受信のみならず、実際に送信で使用するキャリア状態と予め設定されたキャリア状態との不整合を回避できる。
【００１３】
また、本発明に係る無線制御装置は、前記受信制御部は、前記受信側キャリア状態保持部に保持されているキャリア状態と、前記受信部が行う受信で使用するキャリア状態とを第３の所定周期毎に比較する受信側キャリア状態比較部と、前記受信側キャリア状態比較部による比較の結果、両キャリア状態が異なっていれば、前記受信部が行う受信で使用するキャリア状態を前記受信側キャリア状態保持部に保持されているキャリア状態と一致させる受信側キャリア状態整合処理部と、を備えている。したがって、送信のみならず、実際に受信で使用するキャリア状態と予め設定されたキャリア状態との不整合を回避できる。
【００１４】
また、本発明に係る無線制御装置は、前記第１の所定周期、前記第２の所定周期または前記第３の所定周期を設定する周期設定部を備えていることが望ましい。
【００１５】
また、本発明に係る無線制御方法は、予め設定されたキャリア状態と送受信で使用するキャリア状態との不整合を回避する無線制御装置を用いた無線制御方法であって、前記無線制御装置にキャリア状態を設定するネットワーク制御装置から通知されたキャリア状態を保持するキャリア状態保持ステップと、前記ネットワーク制御装置から通知されたキャリア状態で通信端末と送受信を行う送受信ステップと、前記キャリア状態保持ステップで保持されたキャリア状態と、前記送受信ステップが行う送受信で使用するキャリア状態とを所定周期毎に比較するキャリア状態比較ステップと、前記キャリア状態比較ステップでの比較の結果、両キャリア状態が異なっていれば、前記送受信ステップが行う送受信で使用するキャリア状態を前記キャリア状態保持ステップで保持されたキャリア状態と一致させるキャリア状態整合処理ステップと、を有する。
【００１６】
また、本発明に係る無線制御方法は、予め設定されたキャリア状態と受信で使用するキャリア状態との不整合を回避する、送信制御部および受信制御部を備えた無線制御装置を用いた無線制御方法であって、前記送信制御部にキャリア状態を設定するネットワーク制御装置から通知されたキャリア状態を保持する送信側キャリア状態保持ステップと、前記ネットワーク制御装置から通知されたキャリア状態で通信端末への送信を行う送信ステップと、前記送信側キャリア状態保持ステップで保持されたキャリア状態を第１の所定周期毎に前記受信制御部へ通知するキャリア状態通知ステップと、前記送信制御部から通知されたキャリア情報を保持する受信側キャリア状態保持ステップと、前記送信制御部から通知されたキャリア状態で通信端末からの受信を行う受信ステップと、前記受信側キャリア状態保持ステップで保持されたキャリア状態と、前記受信ステップが行う受信で使用するキャリア状態とを第２の所定周期毎に比較する受信側キャリア状態比較ステップと、前記受信側キャリア状態比較ステップでの比較の結果、両キャリア状態が異なっていれば、前記受信ステップが行う受信で使用するキャリア状態を前記受信側キャリア状態保持ステップで保持されたキャリア状態と一致させる受信側キャリア状態整合処理ステップと、を有する。
【００１７】
また、本発明に係る無線制御方法は、予め設定されたキャリア状態と送信で使用するキャリア状態との不整合を回避する、送信制御部および受信制御部を備えた無線制御装置を用いた無線制御方法であって、前記受信制御部にキャリア状態を設定するネットワーク制御装置から通知されたキャリア状態を保持する受信側キャリア状態保持ステップと、前記ネットワーク制御装置から通知されたキャリア状態で通信端末からの受信を行う受信ステップと、前記受信側キャリア状態保持ステップで保持されたキャリア状態を第１の所定周期毎に前記送信制御部へ通知するキャリア状態通知ステップと、前記受信制御部から通知されたキャリア情報を保持する送信側キャリア状態保持ステップと、前記受信制御部から通知されたキャリア状態で通信端末への送信を行う送信ステップと、前記送信側キャリア状態保持ステップで保持されたキャリア状態と、前記送信ステップが行う送信で使用するキャリア状態とを第２の所定周期毎に比較する送信側キャリア状態比較ステップと、前記送信側キャリア状態比較ステップでの比較の結果、両キャリア状態が異なっていれば、前記送信ステップが行う送信で使用するキャリア状態を前記送信側キャリア状態保持ステップで保持されたキャリア状態と一致させる送信側キャリア状態整合処理ステップと、を有する。
【００１８】
さらに、本発明に係る無線制御プログラムは、請求項７、８または９に記載の無線制御方法をコンピュータに実行させるためのものである。
【００１９】
【発明の実施の形態】
以下、本発明に係る無線制御装置、無線制御方法および無線制御プログラムの実施の形態について説明する。なお、以下の説明では、本発明に係る無線制御装置および無線制御方法について詳述するが、本発明に係る無線制御プログラムについては、無線制御方法を実行させるためのプログラムであることから、その説明は以下の無線制御方法の説明に含まれる。
【００２０】
以下に説明する実施形態の無線基地局装置は、ネットワーク制御装置によって設定されたキャリア状態と、無線基地局装置で実際に使用しているキャリア状態とを周期的に比較し、両者の状態が相違している場合には、ネットワーク制御装置によって設定されたキャリア状態への合わせ込みを行うものである。ここでキャリア状態とは、例えば、使用する周波数の設定、設定された周波数を使用するかどうかを表す休止／非休止状態等が考えられ、また３Ｇの無線制御装置を考えれると、セクタ番号、キャリア番号等が考えられる。
【００２１】
〔第１の実施形態〕
図１は、第１の実施形態の無線基地局装置を含む通信制御システムを示すブロック図である。同図に示すように、第１の実施形態の通信制御システムは、無線基地局装置１００と、ネットワーク制御装置２００とから構成されている。また、無線基地局装置１００は、基地局監視制御部１１０と、無線送受信制御部１２０とを有している。基地局監視制御部１１０には、ネットワーク制御装置間通信制御部１１１と、キャリア状態保持手段に該当するキャリア状態保持部１１２と、内部通信制御部１１３と、キャリア状態比較手段に該当するキャリア状態比較部１１４と、周期制御部１１５と、キャリア状態整合処理手段に該当するキャリア状態整合処理部１１６とが設けられている。また、無線送受信制御部１２０には、内部通信制御部１２１と、送受信手段に該当する送受信部１２２とが設けられている。
【００２２】
以下、無線基地局装置１００が有する各構成要素について説明する。ネットワーク制御装置間通信制御部１１１は、ネットワーク制御装置２００と通信を行って、キャリア状態の通知を受け取る。キャリア状態保持部１１２は、ネットワーク制御装置２００から通知されたキャリア状態を保持する。基地局監視制御部１１０の内部通信制御部１１３は、無線送受信制御部１２０の内部通信制御部１２１と通信を行って、ネットワーク制御装置２００から通知されたキャリア状態を送受信部１２２に通知する。送受信部１２２は、通知されたキャリア状態で無線通信端末との送受信を行う。
【００２３】
キャリア状態比較部１１４は、キャリア状態保持部１１２に保持されているキャリア状態と、送受信部１２２で使用しているキャリア状態とを所定の比較周期毎に比較する。周期制御部１１５は、比較周期を制御する。なお、比較周期の制御は、周期制御部１１５がキャリア状態比較部１１４に与える同期信号の周期を変化させることによりなされる。キャリア状態整合処理部１１６は、キャリア状態比較部１１４による比較の結果、両キャリア状態が相違している場合に、送受信部１２２のキャリア状態を、キャリア状態保持部１１２に保持されているキャリア状態と一致させる処理（整合処理）を行う。
【００２４】
上記のように構成された通信制御システムでは、ネットワーク制御装置２００によって、無線基地局装置１００のキャリア状態が設定される。無線基地局装置１００は、ネットワーク制御装置２００から通知されたキャリア状態をキャリア状態保持部１１２に保持した後、送受信部１２２に伝える。送受信部１２２は、通知されたキャリア状態に従って無線通信端末との送受信動作を行う。
【００２５】
当該送受信動作が行われている間、周期制御部１１５はキャリア状態比較部１１４に対して、所定の周期で同期信号を与える。キャリア状態比較部１１４は、周期制御部１１５から同期信号を受け取る度に、キャリア状態保持部１１２に保持されているキャリア状態と、送受信部１２２にて使用されているキャリア状態とを比較し、その比較結果をキャリア状態整合処理部１１６に伝える。キャリア状態整合処理部１１６は、キャリア状態比較部１１４による比較結果を監視し、両キャリア状態が相違している場合には、キャリア状態の不整合が発生していると判断し、送受信部１２２のキャリア状態を、キャリア状態保持部１１２に保持されているキャリア状態と一致させる処理を行う。この処理は、キャリア状態整合処理部１１６が内部通信制御部１１３，１２１を介して送受信部１２２に、キャリア状態の変更を指示する電文を送信することによりなされる。
【００２６】
以上説明したように、第１の実施形態の通信制御システムによれば、ネットワーク制御装置２００によって設定されたキャリア状態と無線基地局装置１００の送受信部１２２で実際に使用しているキャリア状態とを周期的に比較し、不一致の場合には、送受信部１２２のキャリア状態をキャリア状態保持部３１２に保持されているキャリア状態と一致（整合）させることで、ネットワーク制御装置２００と無線基地局装置１００間および無線基地局装置１００内のキャリア状態の不整合状態を回避することができる。
【００２７】
〔第２の実施形態〕
図２は、第２の実施形態の無線基地局装置を含む通信制御システムを示すブロック図である。同図に示すように、第２の実施形態の通信制御システムでは、第１の実施形態と異なり、無線基地局装置１００が、送信制御部に該当する無線送信制御装置３００と受信制御部に該当する無線受信制御装置４００とから構成されている。
【００２８】
無線送信制御装置３００は、送信側監視制御部３１０と、無線送信制御部３２０とを備えて構成される。無線受信制御装置４００は、受信側監視制御部４１０と、無線受信制御部４２０とを備えて構成される。
【００２９】
送信側監視制御部３１０には、ネットワーク制御装置間通信制御部３１１と、送信側キャリア状態保持手段に該当する送信側キャリア状態保持部３１２と、内部通信制御部３１３と、キャリア状態通知手段に該当するキャリア状態通知部３１４と、周期制御部３１５とが設けられている。また、無線送信制御部３２０には、内部通信制御部３２１と、送信手段に該当する送信部３２２とが設けられている。
【００３０】
一方、受信側監視制御部４１０には、受信側キャリア状態保持手段に該当する受信側キャリア状態保持部４１２と、内部通信制御部４１３と、受信側キャリア状態比較手段に該当するキャリア状態比較部４１４と、周期制御部４１５と、受信側キャリア状態整合処理手段に該当するキャリア状態整合処理部４１６とが設けられている。また、無線受信制御部４２０には、内部通信制御部４２１と、受信手段に該当する受信部４２２とが設けられている。
【００３１】
以下、無線基地局装置１００が有する各構成要素について説明する。無線送信制御装置３００のネットワーク制御装置間通信制御部３１１は、ネットワーク制御装置２００と通信を行って、キャリア状態の通知を受け取る。送信側キャリア状態保持部３１２は、ネットワーク制御装置２００から通知されたキャリア状態を保持する。
【００３２】
送信側監視制御部３１０の内部通信制御部３１３は、無線送信制御部３２０の内部通信制御部３２１および受信側監視制御部４１０の内部通信制御部４１３と通信を行う。そして、ネットワーク制御装置２００から通知されたキャリア状態を送信部３２２に伝えると共に、受信側キャリア状態保持部４１２に伝える。送信部３２２は、通知されたキャリア状態で無線通信端末への送信を行う。
【００３３】
キャリア状態通知部３１４は、送信側キャリア状態保持部３１２に保持されているキャリア状態を、所定の通知周期毎に、内部通信制御部３１３，４１３を介して無線受信制御装置４００に通知する。周期制御部３１５は、通知周期を制御する。なお、通知周期の制御は、周期制御部３１５がキャリア状態通知部３１４に与える同期信号の周期を変化させることによりなされる。
【００３４】
受信側監視制御部４１０の内部通信制御部４１３は、送信側監視制御部３１０の内部通信制御部３１３と通信を行って、キャリア状態通知部３１４からキャリア状態の通知を受け取る。受信側キャリア状態保持部４１２は、キャリア状態通知部３１４から通知されたキャリア状態を保持する。また、内部通信制御部４１３は、内部通信制御部４２１と通信を行って、キャリア状態通知部３１４から受け取ったキャリア状態を受信部４２２に通知する。受信部４２２は、通知されたキャリア状態に従って無線通信端末からの受信を行う。
【００３５】
キャリア状態比較部４１４は、受信側キャリア状態保持部４１２に保持されているキャリア状態と、受信部４２２にて使用されているキャリア状態とを所定の比較周期毎に比較する。周期制御部４１５は、比較周期を制御する。なお、比較周期の制御は、周期制御部４１５がキャリア状態比較部４１４に与える同期信号の周期を変化させることによりなされる。キャリア状態整合処理部４１６は、キャリア状態比較部４１４による比較の結果、両キャリア状態が相違している場合に、受信部４２２のキャリア状態を、受信側キャリア状態保持部４１２に保持されているキャリア状態と一致させる処理（整合処理）を行う。
【００３６】
上記のように構成された通信制御システムでは、ネットワーク制御装置２００によって、無線基地局装置１００のキャリア状態が設定される。無線送信制御装置３００は、ネットワーク制御装置２００から通知されたキャリア状態を送信側キャリア状態保持部３１２に保持した後、送信部３２２と無線受信制御装置４００とに伝える。送信部３２２は、通知されたキャリア状態に従って無線通信端末への送信動作を行う。一方、無線受信制御装置４００は、無線送信制御装置３００から通知されたキャリア状態を受信側キャリア状態保持部４１２に保持した後、受信部４２２に伝える。受信部４２２は、通知されたキャリア状態に従って無線通信端末からの受信動作を行う。
【００３７】
当該送信動作および受信動作が行われている間、送信側監視制御部３１０では、周期制御部３１５がキャリア状態通知部３１４に対して、所定の周期（通知周期）で同期信号を与える。キャリア状態通知部３１４は、周期制御部３１５から同期信号を受け取る度に、送信側キャリア状態保持部３１２に保持されているキャリア状態を受信側監視制御部４１０に送信する。
【００３８】
受信側監視制御部４１０では、周期制御部４１５がキャリア状態比較部４１４に対して、所定の周期（比較周期）で同期信号を与える。キャリア状態比較部４１４は、周期制御部４１５から同期信号を受け取る度に、受信側キャリア状態保持部４１２に保持されているキャリア状態と、受信部４２２にて使用されているキャリア状態とを比較し、その比較結果をキャリア状態整合処理部４１６に伝える。キャリア状態整合処理部４１６は、キャリア状態比較部４１４による比較結果を監視し、両キャリア状態が相違している場合には、キャリア状態の不整合が発生していると判断し、受信部４２２のキャリア状態を、キャリア状態保持部４１２に保持されているキャリア状態と一致させる処理を行う。この処理は、キャリア状態整合処理部４１６が内部通信制御部４１３，４２０を介して受信部４２２に、キャリア状態の変更を指示する電文を送信することによりなされる。
【００３９】
以上説明したように、第２の実施形態の通信制御システムによれば、無線基地局装置１００が無線送信制御装置３００と無線受信制御装置４００の２つの装置から構成され、無線送信制御装置３００がネットワーク制御装置２００と通信を行う場合であっても、ネットワーク制御装置２００によって設定されたキャリア状態を、無線送信制御装置３００から無線受信制御装置４００へ周期的に通知すると共に、無線受信制御装置４００の受信部４２２で使用しているキャリア状態と周期的に比較し、不一致の場合には、受信部４２２のキャリア状態を受信側キャリア状態保持部４１２に保持されているキャリア状態と一致（整合）させることで、ネットワーク制御装置２００と無線基地局装置１００間、無線基地局装置１００における無線送信制御装置３００と無線受信制御措置４００との間、および無線基地局装置１００の無線受信制御装置４００内におけるキャリア状態の不整合状態を回避することができる。
【００４０】
なお、無線送信制御装置３００から無線受信制御装置４００へのキャリア状態の通知処理および無線受信制御装置４００内におけるキャリア状態の整合処理は、互いに同期させて行うことも可能であるが、無線送信制御装置３００および無線受信制御装置４００には各々周期制御部３１５，４１５が設けられているため、非同期でそれぞれ独立して行うことも可能である。
【００４１】
〔第３の実施形態〕
図３は、第３の実施形態の無線基地局装置を含む通信制御システムを示すブロック図である。同図に示すように、第３の実施形態の通信制御システムでは、第１の実施形態と異なり、無線基地局装置１００が、受信制御部に該当する無線受信制御装置５００と送信制御部に該当する無線送信制御装置６００とから構成されている。
【００４２】
無線受信制御装置５００は、受信側監視制御部５１０と、無線受信制御部５２０とを備えて構成される。無線送信制御装置６００は、送信側監視制御部６１０と、無線送信制御部６２０とを備えて構成される。
【００４３】
受信側監視制御部５１０には、ネットワーク制御装置間通信制御部５１１と、受信側キャリア状態保持手段に該当する受信側キャリア状態保持部５１２と、内部通信制御部５１３と、キャリア状態通知手段に該当するキャリア状態通知部５１４と、周期制御部５１５とが設けられている。また、無線受信制御部５２０には、内部通信制御部５２１と、受信手段に該当する受信部５２２とが設けられている。
【００４４】
一方、送信側監視制御部６１０には、送信側キャリア状態保持手段に該当する送信側キャリア状態保持部６１２と、内部通信制御部６１３と、送信側キャリア状態比較手段に該当するキャリア状態比較部６１４と、周期制御部６１５と、送信側キャリア状態整合処理手段に該当するキャリア状態整合処理部６１６とが設けられている。また、無線送信制御部６２０には、内部通信制御部６２１と、送信手段に該当する送信部６２２とが設けられている。
【００４５】
以下、無線基地局装置１００が有する各構成要素について説明する。無線受信制御装置５００のネットワーク制御装置間通信制御部５１１は、ネットワーク制御装置２００と通信を行って、キャリア状態の通知を受け取る。受信側キャリア状態保持部５１２は、ネットワーク制御装置２００から通知されたキャリア状態を保持する。
【００４６】
受信側監視制御部５１０の内部通信制御部５１３は、無線受信制御部５２０の内部通信制御部５２１および送信側監視制御部６１０の内部通信制御部６１３と通信を行う。そして、ネットワーク制御装置２００から通知されたキャリア状態を受信部５２２に伝えると共に、受信側キャリア状態保持部５１２に伝える。受信部５２２は、通知されたキャリア状態で無線通信端末からの受信を行う。
【００４７】
キャリア状態通知部５１４は、受信側キャリア状態保持部５１２に保持されているキャリア状態を、所定の通知周期毎に、内部通信制御部５１３，６１３を介して無線送信制御装置６００に通知する。周期制御部５１５は、通知周期を制御する。なお、通知周期の制御は、周期制御部５１５がキャリア状態比較部５１４に与える同期信号の周期を変化させることによりなされる。
【００４８】
送信側監視制御部６１０の内部通信制御部６１３は、受信側監視制御部５１０の内部通信制御部５１３と通信を行って、キャリア状態通知部５１４からキャリア状態の通知を受け取る。送信側キャリア状態保持部６１２は、キャリア状態通知部５１４から通知されたキャリア状態を保持する。また、内部通信制御部６１３は、内部通信制御部６２１と通信を行って、キャリア状態通知部５１４から受け取ったキャリア状態を送信部６２２に通知する。送信部６２２は、通知されたキャリア状態で無線通信端末への送信を行う。
【００４９】
キャリア状態比較部６１４は、送信側キャリア状態保持部６１２に保持されているキャリア状態と、送信部６２２にて使用されているキャリア状態とを所定の比較周期毎に比較する。周期制御部６１５は、比較周期を制御する。なお、比較周期の制御は、周期制御部６１５がキャリア状態比較部６１４に与える同期信号の周期を変化させることによりなされる。キャリア状態整合処理部６１６は、キャリア状態比較部６１４による比較の結果、両キャリア状態が相違している場合に、送信部６２２のキャリア状態を、送信側キャリア状態保持部６１２に保持されているキャリア状態と一致させる処理（整合処理）を行う。
【００５０】
上記のように構成された通信制御システムでは、ネットワーク制御装置２００によって、無線基地局装置１００のキャリア状態が設定される。無線受信制御装置５００は、ネットワーク制御装置２００から通知されたキャリア状態を受信側キャリア状態保持部５１２に保持した後、受信部５２２と無線送信制御装置６００とに伝える。受信部５２２は、通知されたキャリア状態に従って無線通信端末からの受信動作を行う。一方、無線送信制御装置６００は、無線受信制御装置５００から通知されたキャリア状態を送信側キャリア状態保持部６１２に保持した後、送信部６２２に伝える。送信部６２２は、通知されたキャリア状態に従って無線通信端末への送信動作を行う。
【００５１】
当該受信動作および送信動作が行われている間、受信側監視制御部５１０では、周期制御部５１５がキャリア状態通知部５１４に対して、所定の周期で同期信号を与える。キャリア状態通知部５１４は、周期制御部５１５から同期信号を受け取る度に、受信側キャリア状態保持部５１２に保持されているキャリア状態を送信側監視制御部６１０に送信する。
【００５２】
送信側監視制御部６１０では、周期制御部６１５がキャリア状態比較部６１４に対して、所定の周期で同期信号を与える。キャリア状態比較部６１４は、周期制御部６１５から同期信号を受け取る度に、送信側キャリア状態保持部６１２に保持されているキャリア状態と、送信部６２２にて使用されているキャリア状態とを比較し、その比較結果をキャリア状態整合処理部６１６に伝える。キャリア状態整合処理部６１６は、キャリア状態比較部６１４による比較結果を監視し、両キャリア状態が相違している場合には、キャリア状態の不整合が発生していると判断し、送信部６２２のキャリア状態を、送信側キャリア状態保持部６１２に保持されているキャリア状態と一致させる処理を行う。この処理は、キャリア状態整合処理部６１６が内部通信制御部６１３，６２１を介して送信部６２２に、キャリア状態の変更を指示する電文を送信することによりなされる。
【００５３】
以上説明したように、第３の実施形態の通信制御システムによれば、無線基地局装置１００が無線受信制御装置５００と無線送信制御装置６００の２つの装置から構成され、無線受信制御装置５００がネットワーク制御装置２００と通信を行う場合であっても、ネットワーク制御装置２００によって設定されたキャリア状態を、無線送信制御装置５００から無線受信制御装置６００へ周期的に通知すると共に、無線送信制御装置６００の送信部６２２で使用しているキャリア状態と周期的に比較し、不一致の場合には、送信部６２２のキャリア状態を送信側キャリア状態保持部６１２に保持されているキャリア状態と一致（整合）させることで、ネットワーク制御装置２００と無線基地局装置１００間、無線基地局装置１００における無線受信制御装置５００と無線送信制御措置６００との間、および無線基地局装置１００の無線送信制御装置６００内におけるキャリア状態の不整合状態を回避することができる。
【００５４】
なお、無線受信制御装置５００から無線送信制御装置６００へのキャリア状態の通知処理および無線送信制御装置６００内におけるキャリア状態の整合処理は、互いに同期させて行うことも可能であるが、無線受信制御装置５００および無線送信制御装置６００には各々周期制御部５１５，６１５が設けられているため、非同期でそれぞれ独立して行うことも可能である。
【００５５】
〔第４の実施形態〕
図４は、第４の実施形態の無線基地局装置を含む通信制御システムを示すブロック図である。同図に示すように、第４の実施形態の通信制御システムでは、第２の実施形態（図２）と異なり、無線送信制御装置３００のキャリア状態通知部３１４の代わりに、キャリア状態通知手段および送信側キャリア状態比較手段に該当するキャリア比較通知部３１７が設けられ、送信側キャリア状態整合処理手段に該当するキャリア状態整合処理部３１６が付加されている。なお、無線受信制御装置４００の構成は第２の実施形態と同じである。
【００５６】
キャリア比較通知部３１７は、図２に示したキャリア通知部３１４の機能に加え、キャリア状態保持部３１２に保持されているキャリア状態と、送信部３２２で使用しているキャリア状態とを所定の比較周期毎に比較する機能を有している。なお、比較周期は周期制御部３１５によって制御される。すなわち、周期制御部３１５から所定周期毎に出力される同期信号によって、キャリア状態の通知周期と比較周期が共に制御される。キャリア状態整合処理部３１６は、キャリア状態比較通知部３１７による比較の結果、両キャリア状態が相違している場合に、送信部３２２のキャリア状態を、キャリア状態保持部３１２に保持されているキャリア状態と一致させる処理を行う。
【００５７】
上記のように構成された通信制御システムでは、無線基地局装置１００の送信側監視制御部３１０において、周期制御部３１５がキャリア状態比較通知部３１７に対して、所定の周期で同期信号を与える。キャリア状態比較通知部３１７は、周期制御部３１５から同期信号を受け取る度に、送信側キャリア状態保持部３１２に保持されているキャリア状態を受信側監視制御部４１０に送信すると共に、送信側キャリア状態保持部３１２に保持されているキャリア状態と、送信部３２２で使用しているキャリア状態とを比較し、その比較結果をキャリア状態整合処理部３１６に伝える。キャリア状態整合処理部３１６は、キャリア状態比較通知部３１７による比較結果を監視し、両キャリア状態が相違している場合には、キャリア状態の不整合が発生していると判断し、送信部３２２のキャリア状態を、送信側キャリア状態保持部３１２に保持されているキャリア状態と一致させる処理を行う。この処理は、キャリア状態整合処理部３１６が内部通信制御部３１３，３２１を介して送信部３２２に、キャリア状態の変更を指示する電文を送信することによりなされる。
【００５８】
以上説明したように、第４の実施形態の通信制御システムによれば、ネットワーク制御装置２００によって設定されたキャリア状態と送信部３２２のキャリア状態とを周期的に比較し、不一致の場合には、送信部３２２のキャリア状態を送信側キャリア状態保持部３１２に保持されているキャリア状態と一致（整合）させることで、無線受信制御装置４００内のみならず、無線送信制御装置３００内におけるキャリア状態の不整合状態も回避することができる。
【００５９】
なお、上記の説明では、無線送信制御装置３００から無線受信制御装置４００へのキャリア状態の通知処理と無線送信制御装置３００内におけるキャリア状態の整合処理を同期して行うこととしたが、非同期で行うようにしても良い。
【００６０】
〔第５の実施形態〕
図５は、第５の実施形態の無線基地局装置を含む通信制御システムを示すブロック図である。同図に示すように、第５の実施形態の通信制御システムでは、第３の実施形態（図３）と異なり、無線受信制御装置５００のキャリア状態通知部５１４の代わりに、キャリア状態通知手段および受信側キャリア状態比較手段に該当するキャリア比較通知部５１７が設けられ、受信側キャリア状態整合処理手段に該当するキャリア状態整合処理部５１６が付加されている。なお、無線送信制御装置６００の構成は第３の実施形態と同じである。
【００６１】
キャリア比較通知部５１７は、図３に示したキャリア通知部５１４の機能に加え、キャリア状態保持部５１２に保持されているキャリア状態と、受信部５２２で使用しているキャリア状態とを所定の比較周期毎に比較する機能を有している。なお、比較周期は周期制御部５１５によって制御される。すなわち、周期制御部５１５から所定周期毎に出力される同期信号によって、キャリア状態の通知周期と比較周期が共に制御される。キャリア状態整合処理部５１６は、キャリア状態比較通知部５１７による比較の結果、両キャリア状態が相違している場合に、受信部５２２のキャリア状態を、キャリア状態保持部５１２に保持されているキャリア状態と一致させる処理を行う。
【００６２】
上記のように構成された通信制御システムでは、無線基地局装置１００の受信側監視制御部５１０において、周期制御部５１５がキャリア状態比較通知部５１７に対して、所定の周期で同期信号を与える。キャリア状態比較通知部５１７は、周期制御部５１５から同期信号を受け取る度に、受信側キャリア状態保持部５１２に保持されているキャリア状態を送信側監視制御部６１０に送信すると共に、受信側キャリア状態保持部５１２に保持されているキャリア状態と、受信部５２２で使用しているキャリア状態とを比較し、その比較結果をキャリア状態整合処理部５１６に伝える。キャリア状態整合処理部５１６は、キャリア状態比較通知部５１７による比較結果を監視し、両キャリア状態が相違している場合には、キャリア状態の不整合が発生していると判断し、受信部５２２のキャリア状態を、受信側キャリア状態保持部５１２に保持されているキャリア状態と一致させる処理を行う。この処理は、キャリア状態整合処理部５１６が内部通信制御部５１３，５２１を介して受信部５２２に、キャリア状態の変更を指示する電文を送信することによりなされる。
【００６３】
以上説明したように、第５の実施形態の通信制御システムによれば、ネットワーク制御装置２００によって設定されたキャリア状態と受信部５２２のキャリア状態とを周期的に比較し、不一致の場合には、受信部５２２のキャリア状態を受信側キャリア状態保持部５１２に保持されているキャリア状態と一致（整合）させることで、無線送信制御装置６００内のみならず、無線受信制御装置５００内におけるキャリア状態の不整合状態も回避することができる。
【００６４】
なお、上記の説明では、無線受信制御装置５００から無線送信制御装置６００へのキャリア状態の通知処理と無線受信制御装置５００内におけるキャリア状態の整合処理を同期して行うこととしたが、非同期で行うようにしても良い。
【００６５】
〔第６の実施形態〕
図６は、第６の実施形態の無線基地局装置を含む通信制御システムを示すブロック図である。同図に示すように、第６の実施形態の通信制御システムでは、第４の実施形態（図４）と異なり、無線送信制御装置３００および無線受信制御装置４００が上記比較周期および上記通知周期を外部から変更するための、周期設定手段に該当する周期設定部３１８，４１７をそれぞれ有している。
【００６６】
無線送信制御装置３００の周期設定部３１８は、ネットワーク制御装置間通信制御部３１１を介してネットワーク制御装置２００に接続されており、ネットワーク制御装置２００から周期変更指示を受け取ると、同期信号の出力周期をネットワーク制御装置２００から指示された周期に設定変更する。また、無線受信制御装置４００の周期設定部４１７は、無線基地局装置１００毎に設けられた保守端末７００に接続されており、保守端末７００から周期変更指示を受け取ると、同期信号の出力周期を保守端末７００から指示された周期に設定変更する。このようにして変更された周期は、設定変更後直ちに有効となる。
【００６７】
上記のように構成された通信制御システムでは、ネットワーク制御装置２００から無線送信制御装置３００に指示を与えることにより、無線送信制御装置３００から無線受信制御装置４００へキャリア状態を通知する周期と、無線送信制御装置３００内にてキャリア状態の整合処理を行う周期を設定変更することができる。また、保守端末７００から無線受信制御装置４００に指示を与えることにより、無線受信制御装置４００内にてキャリア状態の整合処理を行う周期を設定変更することができる。
【００６８】
〔第７の実施形態〕
図７は、第７の実施形態の無線基地局装置を含む通信制御システムを示すブロック図である。同図に示すように、第７の実施形態の通信制御システムでは、第５の実施形態（図５）と異なり、無線受信制御装置５００および無線送信制御装置６００が上記比較周期および上記通知周期を外部から変更するための、周期設定手段に該当する周期設定部５１８，６１７をそれぞれ有している。
【００６９】
無線受信制御装置５００の周期設定部５１８は、ネットワーク制御装置間通信制御部５１１を介してネットワーク制御装置２００に接続されており、ネットワーク制御装置２００から周期変更指示を受け取ると、同期信号の出力周期をネットワーク制御装置２００から指示された周期に設定変更する。また、無線送信制御装置６００の周期設定部６１７は、無線基地局装置１００毎に設けられた保守端末７００に接続されており、保守端末７００から周期変更指示を受け取ると、同期信号の出力周期を保守端末７００から指示された周期に設定変更する。このようにして変更された周期は、設定変更後直ちに有効となる。
【００７０】
上記のように構成された通信制御システムでは、ネットワーク制御装置２００から無線受信制御装置５００に指示を与えることにより、無線受信制御装置５００から無線送信制御装置６００へキャリア状態を通知する周期と、無線受信制御装置５００内にてキャリア状態の整合処理を行う周期を設定変更することができる。また、保守端末７００から無線送信制御装置６００に指示を与えることにより、無線受信制御装置６００内にてキャリア状態の整合処理を行う周期を設定変更することができる。
【００７１】
なお、本発明に係る無線制御装置は上記実施形態に限定されるものではない。例えば、図１〜図５に示した無線基地局装置１００の構成に、比較周期または通知周期を外部から変更するための周期設定部を付加しても良い。
【００７２】
【発明の効果】
以上説明したように、本発明に係る無線制御装置、無線制御方法および無線制御プログラムによれば、予め設定されたキャリア状態と実際に送受信で使用するキャリア状態との不整合を回避できる。結果として、ネットワーク制御装置と無線制御装置との間および無線制御装置内のキャリア状態の不整合をなくすことができる。
【図面の簡単な説明】
【図１】第１の実施形態の無線基地局装置を含む通信制御システムを示すブロック図
【図２】第２の実施形態の無線基地局装置を含む通信制御システムを示すブロック図
【図３】第３の実施形態の無線基地局装置を含む通信制御システムを示すブロック図
【図４】第４の実施形態の無線基地局装置を含む通信制御システムを示すブロック図
【図５】第５の実施形態の無線基地局装置を含む通信制御システムを示すブロック図
【図６】第６の実施形態の無線基地局装置を含む通信制御システムを示すブロック図
【図７】第７の実施形態の無線基地局装置を含む通信制御システムを示すブロック図
【図８】従来の無線基地局装置およびネットワーク制御装置から構成された通信制御システムを示すブロック図
【符号の説明】
１００　無線基地局装置
１１０　基地局監視制御部
１１１　ネットワーク制御装置間通信制御部
１１２　キャリア状態保持部
１１４　キャリア状態比較部
１１５　周期制御部
１１６　キャリア状態整合処理部
１２０　無線送受信制御部
１２１　内部通信制御部
１２２　送受信部
２００　ネットワーク制御装置
３００　無線送信制御装置
３１０　送信側監視制御部
３１１　ネットワーク制御装置間通信制御部
３１２　送信側キャリア状態保持部
３１４　キャリア状態通知部
３１５　周期制御部
３１６　キャリア状態整合処理部
３１７　キャリア比較通知部
３１８　周期設定部
３２０　無線送信制御部
３２２　送信部
４００　無線受信制御装置
４１０　受信側監視制御部
４１２　受信側キャリア状態保持部
４１４　キャリア状態比較部
４１５　周期制御部
４１６　キャリア状態整合処理部
４１７　周期設定部
４２０　無線受信制御部
４２２　受信部
５００　無線受信制御装置
５１０　受信側監視制御部
５１１　ネットワーク制御装置間通信制御部
５１２　受信側キャリア状態保持部
５１４　キャリア状態通知部
５１５　周期制御部
５１６　キャリア状態整合処理部
５１７　キャリア比較通知部
５１８　周期設定部
５２０　無線受信制御部
５２２　受信部
６００　無線送信制御装置
６１０　送信側監視制御部
６１２　送信側キャリア状態保持部
６１４　キャリア状態比較部
６１５　周期制御部
６１６　キャリア状態整合処理部
６１７　周期設定部
６２０　無線送信制御部
６２２　送信部
【図１】
2004134865.tif 000003
【図２】
2004134865.tif 000004
【図３】
2004134865.tif 000005
【図４】
2004134865.tif 000006
【図５】
2004134865.tif 000007
【図６】
2004134865.tif 000008
【図７】
2004134865.tif 000009
【図８】
2004134865.tif 000010